(57)【特許請求の範囲】
【請求項１】
下面にパンチ屑溜めを設けた基台の上方に作動部固定部を固着し、該作動部固定部の前部に、支点ピンにより回動可能にハンドルを装着し、ハンドルを押し下げることにより、内部に装着された穿孔刃が下降して、挿入口から挿入された書類を穿孔する1穴パンチ具において、
パンチガイド押さえによりパンチ位置をガイドするパンチガイドがパンチ屑溜めの下面に固着されたパンチガイドピンに係留されており、
該パンチガイドには中心に細長いパンチガイド摺動孔があり、
パンチ屑溜めの下面にはパンチガイドを収納することとパンチガイドを引き出して回転させた場合にパンチガイドが基台と直角になるように規制することを目的とするパンチガイド収納カバーがあり、
パンチガイドは、そのパンチガイド摺動孔にパンチガイドピンを保持しながら、パンチガイドをパンチガイド収納カバーから最大限まで引き出すまでは基台の長辺方向のみの移動、パンチガイドを最大限まで引き出した時点では左右両方向へ９０度までの回転及び左若しくは右方向に９０度回転させたときの基台の長辺方向と直角の動き又は基台の長辺方向と同じ向きにあるときの基台の長辺方向のみの動き、が可能であり、
パンチガイドとパンチ屑溜めの下面との間には、板バネがあり、パンチガイドはパンチガイド押さえに押圧されており、不用意に動かないようになっており、
パンチガイドには、書類の所定の位置に最初の孔を穿孔するための目印と、最初の孔から所定の間隔を置いて第２の孔を穿孔するために最初に穿孔した孔を合わせるための目印を有する、
１穴パンチ具。
【請求項２】
最初の孔から所定の間隔を置いて第２の孔を穿孔するために最初に穿孔した孔を合わせるための目印がパンチガイドに穿設された孔である請求項１の１穴パンチ具。
【請求項３】
パンチガイドに穿設された孔が円形である請求項２の１穴パンチ具。
【請求項４】
パンチガイドに穿設された孔が円からパンチガイドの長手方向の両側に楔形に突出している請求項２の１穴パンチ具。
【請求項５】
最初の孔から所定の間隔を置いて第２の孔を穿孔するために最初に穿孔した孔を合わせるための目印が、その立ち上がり部の直径が本発明の１穴パンチ具のパンチ孔の直径より小さい円丘状の突起である、請求項１の１穴パンチ具。
【発明の詳細な説明】
【技術分野】
【０００１】
この発明は、最初の孔の穿孔位置と第２の孔の穿孔位置をガイドするパンチガイドを有し、そのパンチガイドを２つの方向で使用することができる１穴パンチ具に関する。
【背景技術】
【０００２】
従来、書類を二つ折りにして穿孔することによって所定の位置２か所に穿孔する１穴パンチ具が考案されている。(例えば、特許文献１参照。)
また、最初に穿孔した孔を目印ピンにはめて第２の孔を穿孔する１穴パンチ具が考案されている。(例えば、特許文献２及び３参照。)
【先行技術文献】
【特許文献】
【０００３】
【特許文献１】実公昭３９−２９０８２号公報
【特許文献２】実公昭４９−７１８号公報
【特許文献３】実公昭５０−２２３９０号公報
【発明の概要】
【発明が解決しようとする課題】
【０００４】
書類を２つ折りにして穿孔するものにあっては、その都度２つ折りにすること自体が面倒であるし、書類の枚数が多い場合、２つ折りにしたとき内側になる書類と外側になる書類では２つの孔の間隔が異なってくる。
また、最初に穿孔した孔を目印ピンにはめて第２の孔を穿孔するものにあっては、目印ピンが１方向にのみにあり、利き手が合致しない者には使いづらいことがある。
この発明は、最初の孔の穿孔位置と第２の孔の穿孔位置をガイドするパンチガイドを有し、そのパンチガイドを２つの方向で使用することができる１穴パンチ具を提供することを課題とする。
【課題を解決するための手段】
【０００５】
本発明の１穴パンチ具は、下面にパンチ屑溜めを設けた基台の上方に作動部固定部を固着し、該作動部固定部の前部に、支点ピンにより回動可能にハンドルを装着し、ハンドルを押し下げることにより、内部に装着された穿孔刃が下降して、挿入口から挿入された書類を穿孔する1穴パンチ具において、パンチガイド押さえによりパンチ位置をガイドするパンチガイドがパンチ屑溜めの下面に固着されたパンチガイドピンに係留されており、  該パンチガイドには中心に細長いパンチガイド摺動孔があり、パンチ屑溜めの下面にはパンチガイドを収納することとパンチガイドを引き出して回転させた場合にパンチガイドが基台と直角になるように規制することを目的とするパンチガイド収納カバーがあり、パンチガイドは、そのパンチガイド摺動孔にパンチガイドピンを保持しながら、パンチガイドをパンチガイド収納カバーから最大限まで引き出すまでは基台の長辺方向のみの移動、パンチガイドを最大限まで引き出した時点では左右両方向へ９０度までの回転及び左若しくは右方向に９０度回転させたときの基台の長辺方向と直角の動き又は基台の長辺方向と同じ向きにあるときの基台の長辺方向のみの動き、が可能であり、パンチガイドとパンチ屑溜めの下面との間には、板バネがあり、パンチガイドはパンチガイド押さえに押圧されており、不用意に動かないようになっており、パンチガイドには、書類の所定の位置に最初の孔を穿孔するための目印と、最初の孔から所定の間隔を置いて第２の孔を穿孔するために最初に穿孔した孔を合わせるための目印を有する、構成とした。
【発明の効果】
【０００６】
書類を２つ折りにしたりすることなく書類の所定の位置に２つの孔をあけることができる。
【図面の簡単な説明】
【０００７】
【図１】本発明の１穴パンチ具の実施例の斜視図である。
【図２】本発明の１穴パンチ具の実施例のパンチガイド収納時の斜視図である。
【図３】本発明の１穴パンチ具の実施例の下方向からの斜視図である。
【図４】本発明の１穴パンチ具の実施例の断面図である。
【図５】本発明の１穴パンチ具の実施例のハンドル押下時の断面図である。
【図６】本発明の１穴パンチ具の実施例のパンチガイド収納時の下側からの平面図である。
【図７】本発明の１穴パンチ具の実施例のパンチガイド引き出し時の下側からの平面図である。
【図８】本発明の１穴パンチ具の実施例のパンチガイド回転時の下側からの平面図である。
【図９】本発明の１穴パンチ具の実施例のパンチガイドセット時の下側からの平面図である。
【図１０】パンチガイド組み込み順序を示す図である。
【図１１】パンチガイド組み込み途中の図である。
【図１２】本発明の１穴パンチ具の実施例のパンチガイドセット時の平面図である。
【図１３】パンチガイドの２つ目の孔穿孔目印孔の他の実施例の平面図である。
【図１４】パンチガイドの２つ目の孔穿孔目印が突起である場合の実施例の平面図である。
【図１５】パンチガイドの２つ目の孔穿孔目印が突起である場合の突起の断面図である。
【図１６】パンチガイドの２つ目の孔穿孔目印が突起である場合の実施例の斜視図である。
【発明を実施するための形態】
【０００８】
以下、本発明の実施の形態を図１から図１６までに基づいて説明する。
【０００９】
板バネ１５の中央にはパンチガイド押さえ９ａが通過できる大きさの孔があるものとする。
また、パンチガイドピン挿入部５ａはパンチガイド押さえ９ａが通過できる大きさとする。
パンチガイド摺動孔５ｂの幅は、パンチガイド押さえ９ａの直径より小さいものとする。
図１０では、基台２の長辺方向とパンチガイド５の長辺方向とは直角であり、この状態から板バネ１５の中央の孔及びパンチガイドピン挿入部５ａにパンチガイド押さえ９ａを通してパンチガイド５を押さえると図１１の状態になる。
パンチガイド５を押さえたまま図１１の状態からパンチガイド５をその長辺方向に動かすとパンチガイド摺動孔５ｂの幅は、パンチガイド押さえ９ａの直径より小さいのでパンチガイド５はパンチガイドピン９に係留される。
【００１０】
パンチガイド摺動孔５ｂの幅は、パンチガイドピン９に係留されて摺動できる大きさとする。
【００１１】
パンチガイド５のパンチガイドピン挿入部５ａから遠い方の端は、パンチガイド５の幅の長さを１辺とする正方形の対角線の長さの２分の１を半径とする円の４分の１円弧とする。
【００１２】
パンチガイド５の上面には、パンチガイド５を所定の位置にセットするための目印パンチガイドセット位置マーカー５ｆ並びに書類の判型に対応した目印判型ガイドライン５ｃ及び判型ガイドマーカー５ｄを設け、また、第２の孔を穿孔するときに最初に穿孔した孔を合わせる目印を設けるものとする。
【００１３】
最初に穿孔した孔から所定の間隔を置いて第２の孔を穿孔するために最初に穿孔した孔を合わせるための目印の中心は、パンチガイド５を摺動したとき穿孔刃１１の真下を通る位置にあるものとする。
【００１４】
Ｌ１は約１２ｍｍ、Ｌ２は約８０ｍｍ、Ｌ３はＡ４判では約１０８．５ｍｍとする。
【００１５】
最初に穿孔した孔から所定の間隔を置いて第２の孔を穿孔するために最初に穿孔した孔を合わせるための目印を孔にする場合、本発明の１穴パンチ具のパンチ孔と同じ大きさの円にするのが適当である。
【００１６】
最初に穿孔した孔から所定の間隔を置いて第２の孔を穿孔するために最初に穿孔した孔を合わせるための目印を円形の孔にする場合、その孔をパンチガイド５の長手方向の両側に楔形に突出させると最初に穿孔した孔と合わせやすくなる。
【００１７】
最初に穿孔した孔から所定の間隔を置いて第２の孔を穿孔するために最初に穿孔した孔を合わせるための目印をその立ち上がり部の直径が本発明の１穴パンチ具のパンチ孔の直径より小さい円丘状の突起とした場合、１つの面に２つの突起が近くにあると効果を発揮できないので、１つの面に突起は１つとする。そうすると、パンチガイド５の使用の方向が１つに限定されるので、裏側の同じ位置に突起を設けることとする。この場合、パンチガイド５を裏側でも使用できるよう、他の目印は両面に設けておく。パンチガイド５は、簡単に取り外しが可能であり、簡単に表裏を変えることができる。
また、この場合、図１６のように基台２に２つ目の孔穿孔目印突起５ｇの通過用の切欠１７を設けるものとする。
【符号の説明】
【００１８】
１    １穴パンチ具
２    基台
３    作動部固定部
４    ハンドル
５    パンチガイド
５ａ  パンチガイドピン挿入部
５ｂ  パンチガイド摺動孔
５ｃ  判型ガイドライン
５ｄ  判型ガイドマーカー
５ｅ  ２つ目の孔穿孔目印孔
５ｆ  パンチガイドセット位置マーカー
５ｅ  ２つ目の孔穿孔目印突起
６    支点ピン
７    押しピン
８    パンチ屑溜めふた
９    パンチガイドピン
９ａ  パンチガイド押さえ
１０  パンチガイド収納カバー
１１  穿孔刃
１２  穿孔孔
１３  バネ
１４  パンチ屑溜め
１５  板バネ
１６  挿入口
１７  切欠
【図１】
0006270279.tif 000002
【図２】
0006270279.tif 000003
【図３】
0006270279.tif 000004
【図４】
0006270279.tif 000005
【図５】
0006270279.tif 000006
【図６】
0006270279.tif 000007
【図７】
0006270279.tif 000008
【図８】
0006270279.tif 000009
【図９】
0006270279.tif 000010
【図１０】
0006270279.tif 000011
【図１１】
0006270279.tif 000012
【図１２】
0006270279.tif 000013
【図１３】
0006270279.tif 000014
【図１４】
0006270279.tif 000015
【図１５】
0006270279.tif 000016
【図１６】
0006270279.tif 000017